(57)【要約】【課題】従来の問題点のうち幾つか又は全てに対処するタイヤ空気圧測定システムを提供する。【解決手段】ホイールに搭載されるように構成されたタイヤ監視装置を記載する。この装置は、ホイール上のタイヤの空気圧を検知する圧力センサと、タイヤ空気圧を表示するコマンドを表すデータを受信するように構成された無線通信インターフェイスと、所定の圧力値を記憶する記憶装置と、第１の表示は第２の表示とは異なるところ第１の表示及び第２の表示を提供するように構成されたインジケータと、タイヤ空気圧を表示するコマンドの受信に応答して並びに空気圧及び所定の圧力値に少なくとも部分的に基づいて第１の表示又は第２の表示を提供するようにインジケータを動作するように構成されたタイヤの処理システムと、を備える。【選択図】図２
2019108119.tif 000002
【特許請求の範囲】
【請求項１】
ホイールに搭載されるように構成されたタイヤ監視装置であって、
前記ホイール上のタイヤの空気圧を検知する圧力センサと、
タイヤ空気圧を表示するコマンドを表すデータを受信するように構成された無線通信インターフェイスと、
所定の圧力値を記憶する記憶装置と、
第１の表示は第２の表示とは異なるところ前記第１の表示及び前記第２の表示を提供するように構成されたインジケータと、
タイヤ空気圧を表示する前記コマンドの受信に応答して、並びに、前記空気圧及び前記所定の圧力値に少なくとも部分的に基づいて、前記第１の表示又は前記第２の表示を提供するように前記インジケータを動作するように構成された処理システムと、
を備える、タイヤ監視装置。
【請求項２】
前記無線通信インターフェイスは、少なくとも１つの他のタイヤ監視装置と通信するように構成されている、請求項１に記載のタイヤ監視装置。
【請求項３】
前記処理システムは、前記無線通信インターフェイスを経由した前記少なくとも１つの他のタイヤ監視装置からの空気圧を表すデータにさらに少なくとも部分的に基づいて、前記第１の表示又は前記第２の表示を提供するように前記インジケータを動作するように構成されている、請求項２に記載のタイヤ監視装置。
【請求項４】
前記無線通信インターフェイスは、第１のネットワークを経由して前記少なくとも１つの他のタイヤ監視装置と、及び、第２のネットワークを経由して制御装置と、通信するように構成されており、
前記第１のネットワークと第２のネットワークとは、別々である、請求項２又は３に記載のタイヤ監視装置。
【請求項５】
前記無線通信システムは、第１のトランシーバ及び第２のトランシーバを備えており、
前記第１のトランシーバは、前記第２のトランシーバよりも長い伝送距離を有する、請求項１から４のいずれか一項に記載のタイヤ監視装置。
【請求項６】
前記第２のトランシーバは、構成装置との通信のために構成されている、請求項５に記載のタイヤ監視装置。
【請求項７】
前記インジケータは、視覚インジケータを備える、請求項１から６のいずれか一項に記載のタイヤ監視装置。
【請求項８】
前記インジケータは、可聴インジケータを備える、請求項１から７のいずれか一項に記載のタイヤ監視装置。
【請求項９】
前記ホイールの温度又は前記タイヤの内側のガスの温度を検知する温度センサを備える、請求項１から８のいずれか一項に記載のタイヤ監視装置。
【請求項１０】
航空機タイヤでの使用のために構成された、請求項１から９のいずれか一項に記載のタイヤ監視装置。
【請求項１１】
請求項１から１０のいずれか一項に記載のタイヤ監視装置を複数備え、
前記複数のタイヤ監視装置は、互いに通信する、
タイヤ空気圧測定システム。
【請求項１２】
前記複数のタイヤ監視装置のうち少なくとも１つにコマンドを表すデータを伝送するように構成された無線通信インターフェイスを含む制御装置を備える、請求項１１に記載のタイヤ空気圧測定システム。
【請求項１３】
前記複数のタイヤ監視装置のうち少なくとも１つに構成コマンドを表すデータを伝送するように構成された無線通信インターフェイスを含む構成装置を備える、請求項１１又は１２に記載のタイヤ空気圧測定システム。
【請求項１４】
前記構成装置の前記無線通信インターフェイスは、１ｍ未満の伝送距離を有する、請求項１３に記載のタイヤ空気圧測定システム。
【請求項１５】
インジケータと、圧力センサと、無線通信インターフェイスと、を備える監視装置を用いてタイヤ空気圧を点検する方法であって、前記監視装置において、
前記無線通信インターフェイスを介して制御装置からタイヤ空気圧を点検する要求を表すデータを受信すること、
前記要求に応答してタイヤ空気圧を点検すること、
前記圧力センサを用いて前記監視装置に関連するタイヤの第１の空気圧ステータスを判定すること、及び、
前記インジケータを用いて前記第１の空気圧ステータスに少なくとも部分的に基づく表示を提供すること、
を備える、方法。
【請求項１６】
タイヤ空気圧を点検する前記要求に応答して、少なくとも１つの他のタイヤの第２の空気圧ステータスを判定することを備え、
前記インジケータを用いて表示を提供することは、さらに前記第２の空気圧ステータスに少なくとも部分的に基づく、請求項１５に記載の方法。
【請求項１７】
前記インジケータを用いて表示を提供することは、
（ｉ）前記第１の空気圧ステータスは圧力センサによって測定された第１の圧力が第１の所定の閾値を下回ること、及び、（ｉｉ）前記第２の空気圧ステータスは第２の圧力が第２の所定の閾値を下回ること、のうち少なくとも一方であるときに、前記インジケータを用いて第１の表示を提供することと、
そうでなければ、第２の表示は前記第１の表示とは異なるところ前記インジケータを用いて前記第２の表示を提供することと、
を備える、請求項１６に記載の方法。
【請求項１８】
前記無線通信インターフェイスを用いて前記空気圧のデータを前記制御装置に伝送することをさらに備える、請求項１５から１７のいずれか一項に記載の方法。
【発明の詳細な説明】
【技術分野】
【０００１】
[0001]  本開示は、タイヤ監視装置などの監視装置及びその使用方法及び構成に関する。実施例では、本開示は航空機タイヤ監視装置に関する。
【背景技術】
【０００２】
[0002]  タイヤ空気圧の点検は、乗り物の保守の重要な部分である。製造者によって意図されたようにタイヤが機能することを保証するためには、タイヤ空気圧が所定の圧力に維持されなければならない。不適当なタイヤ空気圧は、タイヤの欠陥、ことによるとパンクにつながる恐れがあり、乗り物への損傷及び／又は制御不能を引き起こす。航空機の着陸装置のタイヤは高い速度に直面するので、圧力は定期的に、おそらくは１日に１回又はより頻繁に、点検される。タイヤ空気圧の手動点検には時間がかかり、この時間を削減することは有益である。
【０００３】
[0003]  タイヤ空気圧の測定を提供するように無線で問い合わせ可能な検知装置をホイール内に組み込むことによって、タイヤ空気圧測定を自動化することが提案されている。これは手動での読み取りと比較して所要時間を削減することができるが、圧力を測定するホイールからホイールへと移動する必要があるため、依然として時間がかかり得る。
【０００４】
[0004]  任意の自動化された測定によって表されるタイヤ空気圧が正確及び／又は信頼できるものであることを保証するのも重要である。これは、単に測定が正確であるというだけでなく、ディスプレイ自体が圧力の正確な表現を示すということでもある。このことは、無線インターフェイスを用いるときにはより重要になる。なぜなら、おそらくは故障又はディスプレイデバイス上の悪意のあるソフトウェアによって、ディスプレイが破損する可能性が高まるからである。
【発明の概要】
【発明が解決しようとする課題】
【０００５】
[0005]  こうした点のうちいくつか又はすべてに対処するタイヤ空気圧測定システムを提供するのが望ましいであろう。
【課題を解決するための手段】
【０００６】
[0006]  本発明の第１の態様によれば、ホイールに搭載されるように構成されたタイヤ監視装置が提供される。この装置は、ホイール上のタイヤの空気圧を検知する圧力センサと、タイヤ空気圧を表示するコマンドを表すデータを受信するように構成された無線通信インターフェイスと、所定の圧力値を記憶する記憶装置と、第１の表示は第２の表示とは異なるところ、第１の表示及び第２の表示を提供するように構成されたインジケータと、処理システムと、を備える。処理システムは、タイヤ空気圧を表示するコマンドの受信に応答して、並びに、空気圧及び所定の圧力値に少なくとも部分的に基づいて、第１の表示又は第２の表示を提供するようにインジケータを動作するように構成されている。
【０００７】
[0007]  任意選択的には、無線通信インターフェイスは、少なくとも１つの他のタイヤ監視装置と通信するように構成されている。
【０００８】
[0008]  任意選択的には、処理システムは、無線通信インターフェイスを経由した少なくとも１つの他のタイヤ監視装置からの空気圧を表すデータにさらに少なくとも部分的に基づいて、第１の表示又は第２の表示を提供するようにインジケータを動作するように構成されている。
【０００９】
[0009]  任意選択的には、無線通信インターフェイスは、第１のネットワークを経由して少なくとも１つの他のタイヤ監視装置と通信するように構成されているとともに、第２のネットワークを経由して制御装置と通信するように構成されており、第１のネットワークと第２のネットワークとは別々である。
【００１０】
[0010]  任意選択的には、無線通信システムは第１のトランシーバ及び第２のトランシーバを備えており、第１のトランシーバは第２のトランシーバよりも長い伝送距離を有する。
【００１１】
[0011]  任意選択的には、第２のトランシーバは、構成装置との通信のために構成されている。
【００１２】
[0012]  任意選択的には、インジケータは視覚インジケータを備える。
【００１３】
[0013]  任意選択的には、インジケータは可聴インジケータを備える。
【００１４】
[0014]  任意選択的には、タイヤ監視装置は、ホイールの温度又はタイヤの内側のガスの温度を検知する温度センサを備える。
【００１５】
[0015]  上述のタイヤ監視装置は、やはり上述した任意選択的な特色を有していても有していなくても、航空機タイヤでの使用のために構成され得る。
【００１６】
[0016]  第２の態様においては、タイヤ空気圧測定システムが、複数の上述したタイヤ監視装置を、やはり上述した任意選択的な特色を有していてもいなくても、備えていてもよく、複数のタイヤ監視装置は互いに通信する。
【００１７】
[0017]  任意選択的には、タイヤ空気圧測定システムは制御装置も備える。制御装置は、複数のタイヤ監視装置のうち少なくとも１つにコマンドを表すデータを送信するように構成された無線通信インターフェイスを備える。
【００１８】
[0018]  任意選択的には、タイヤ空気圧測定システムは、複数のタイヤ監視装置のうち少なくとも１つに構成コマンドを表すデータを伝送するように構成された無線通信インターフェイスを有する構成装置を備える。
【００１９】
[0019]  任意選択的には、構成装置の無線通信インターフェイスは、１ｍ未満の伝送距離を有する。
【００２０】
[0020]  第３の態様によれば、インジケータと、圧力センサと、無線通信インターフェイスと、を備える監視装置を用いてタイヤ空気圧を点検する方法が提供される。この方法は、監視装置において、無線通信インターフェイスを介して制御装置からタイヤ空気圧を点検する要求を表すデータを受信すること、その要求に応答してタイヤ空気圧を点検すること、圧力センサを用いてその監視装置に関連するタイヤの第１の空気圧ステータスを判定すること、及び、第１の空気圧ステータスに少なくとも部分的に基づく表示をインジケータを用いて提供すること、を備える。
【００２１】
[0021]  任意選択的には、この方法は、タイヤ空気圧を点検する要求に応答して、少なくとも１つの他のタイヤの第２の空気圧ステータスを決定することを備え、インジケータを用いて表示を提供することは、さらに第２の空気圧ステータスに少なくとも部分的に基づく。
【００２２】
[0022]  任意選択的には、インジケータを用いて表示を提供することは、（ｉ）第１の空気圧ステータスは圧力センサによって測定された第１の圧力が第１の所定の閾値を下回ること、及び、（ｉｉ）第２の空気圧ステータスは第２の圧力が第２の所定の閾値を下回ること、のうち少なくとも一方であるときに、インジケータを用いて第１の表示を提供することと、そうでなければ、第２の表示は第１の表示とは異なるところインジケータを用いて第２の表示を提供することと、を備える。
【００２３】
[0023]  任意選択的には、この方法はさらに、無線通信インターフェイスを用いて空気圧のデータを制御装置に伝送することを備える。
【００２４】
[0024]  第４の態様によれば、監視装置を構成する方法が提供され、この監視装置は記憶装置と無線通信インターフェイスとを備える。この方法は、監視装置において、第１の構成メッセージを表すデータを第１の装置から無線通信インターフェイスを介して受信することと、圧力センサによって測定された圧力がおよそゼロであると判定することと、構成メッセージと圧力がゼロであるという判定とに応答して構成モードに入ることと、を備える。
【００２５】
[0025]  任意選択的には、この方法はさらに、構成モードである間に第２の構成メッセージを表すデータを第２の装置から無線通信インターフェイスを介して受信することと、第２の構成メッセージに基づいて記憶装置において構成パラメータを設定することと、を備える。
【００２６】
[0026]  任意選択的には、第１の構成メッセージを表すデータは第１の無線通信モードを用いて受信され、第２の構成メッセージを表すデータは第２の無線通信モードを用いて受信される。
【００２７】
[0027]  第５の態様によれば、記憶装置と、圧力センサと、無線通信インターフェイスと、上述した第４の態様の方法を、やはり上述した任意選択的な特色を有していても有していなくても、実行するように構成されたプロセッサと、を備える監視装置が提供される。
【００２８】
[0028]  本発明の更なる特色及び利点は、単なる例として提示される以下の本発明の好適な実施例の記載から明らかになるであろう。この記載は、添付の図面を参照してなされる。
【図面の簡単な説明】
【００２９】
【図１】[0029]  本発明の第１の実施例によるタイヤ空気圧センサシステムの図式表現を示す。
【図２】[0030]  図１の実施例において使用されるタイヤ監視装置の図式表現を示す。
【図３】[0031]  図１の実施例において使用される制御装置の図式表現を示す。
【図４】[0032]  図１の実施例において使用される構成装置の図式表現を示す。
【図５】[0033]  航空機に設置されたタイヤ空気圧センサネットワークの図式表現を示す。
【図６】[0034]  図１の実施例とともに用いられることが可能なタイヤ監視装置の初期設定プロセスのフローチャートを示す。
【図７】[0035]  図１の実施例とともに用いられることが可能なタイヤ空気圧点検プロセスのフローチャートを示す。
【図８】[0036]  図２のタイヤ監視装置によって用いられることが可能なタイヤ空気圧点検プロセスのフローチャートを示す。
【図９】[0037]  図１の実施例とともに用いられることが可能なタイヤ交換プロセスのフローチャートを示す。
【図１０】[0038]  図１の実施例とともに用いられることが可能なタイヤ監視装置交換プロセスのフローチャートを示す。
【発明を実施するための形態】
【００３０】
[0039]  以下の記載においては、説明のために、ある一定の実施例の多くの具体的詳細を述べる。本明細書における「実施例」又は類似の用語への言及は、その実施例と関連して記載された特定の特色、構造、又は特徴が、少なくともその１つの実施例に含まれるが、必ずしも他の実施例には含まれないことを意味する。
【００３１】
[0040]  本明細書に記載されたある一定の方法及びシステムは、航空機のセンサネットワークの動作に関係する。本明細書に記載された実施例において、「航空機」への言及は、例えば軍用又は商用航空機等の固定翼機、あるいは無人航空機（ＵＡＶ）、及び例えばヘリコプタ等の回転翼航空機など、あらゆる種類の航空機を含む。
【００３２】
[0041]  本明細書に記載の実施例によれば、制御装置とセンサ自体のインジケータとの両方においてステータスの表示が提供される、無線タイヤ監視システムが提供される。これは、制御装置において提供される結果の追加的な保証をもたらし、携帯機器（mobile）又はタブレットなどの制御装置が、制御装置において表示されたデータが正しいことを保証するための追加的なハードウェアを必要とせずに使用されることを可能にし得る。いくつかの実施例においては、異常の表示は、たとえ異常が存在していないタイヤ監視装置であっても、すべてのタイヤ監視装置において異常を表示させて、異常の表示を単純化する。
【００３３】
[0042]  本明細書に記載の実施例によれば、無線タイヤ監視システムは、３つの要素、すなわち無線タイヤ監視装置と、制御装置と、構成装置と、を備える。これは、安全で且つ使用が容易なシステムを可能にする。例えば、構成装置は、無線タイヤ監視装置へのいくつかの又はすべての構成コマンドを入力するために必要とされ得るものであり、構成のために特定の装置の使用を必要とすることによって、セキュリティが提供される。一方、使い易さは、制御装置を提供することによって向上されてもよく、この制御装置は、システムを用いてタイヤ空気圧を点検するなどの他の機能を実行するアプリを実行するモバイル機器であり得る。
【００３４】
[0043]  例えば追加的な認証因子及びタイヤ監視装置が構成モードとなるための物理的要件を要求することによってセキュリティを高めるようにタイヤ監視装置を構成する方法を提供する実施例も記載されている。
【００３５】
[0044]  図１は、本発明の第１の実施例によるタイヤ空気圧センサシステムの図式表現を示す。システムは、複数のタイヤ監視装置１０と、制御装置１２と、構成装置１４と、を備えており、そのいずれもが無線通信を介して通信するように構成されている。乗り物、この場合は（図５を参照して以下で詳述するように）航空機の各ホイールに１つのタイヤ監視装置が搭載される。制御装置１２は、タイヤ空気圧センサ１０とは分離しており、タイヤ空気圧センサシステムにおいてのみ機能する専用の制御装置であってもよく、又はタイヤ空気圧センサシステム以外の用途にも使用可能な演算装置であってもよい。実施例の演算装置は、ラップトップ、タブレット、携帯電話機及び無線通信装置などのモバイル機器を含む。
【００３６】
[0045]  図１のタイヤ空気圧センサシステムにおける無線通信は、ローカルエリアネットワーク又はパーソナルエリアネットワークを利用してもよく、集中型及びメッシュ型の無線システムを含む任意の適当なトポグラフィを有することができる。集中型のシステムにおいては、ある単一の装置が通信を調整するためのマスタ装置として指名されてもよく、又は１つ以上の追加的な無線アクセスポイント、ゲートウェイ、又はコントローラ（図示しない）が用いられてもよい。いくつかの実施例においては、タイヤ監視装置１０、制御装置１２及び構成装置１４はいずれも、同一の無線技術を用いて通信して単一のネットワークを形成してもよい。他の実施例においては、タイヤ監視装置１０、制御装置１２及び構成装置１４のうち１つ以上が、システムの他の要素から分離していてもよい。そのような分離は、ソフトウェアにおいて、例えば適当なファイアウォールを提供すること及び／又は異なるネットワークＩＤと暗号鍵との使用によって提供されてもよい。また、そのような分離は、ハードウェアによって、例えば異なる無線通信技術によって提供されてもよい。ハードウェア分離とソフトウェア分離との両方が組み合わせられてもよい。例えば、図１のシステムにおいては、制御装置は構成とは異なる無線通信技術によってタイヤ検知装置と通信し、これはシステムのセキュリティを向上させ得る。
【００３７】
[0046]  図２は、図１のタイヤ空気圧センサシステムにおいて使用されるタイヤ監視装置１０の図式表現を示す。タイヤ監視装置１０は、例えばタイヤへのアクセスを提供するホイールの開口への機械的接続によって、ホイールに搭載されるように構成されている。タイヤ監視装置１０は、プロセッサ２００と、無線通信インターフェイス２０２と、インジケータ２０４と、電源２０６と、圧力センサ２０８と、温度センサ２０９と、第１の記憶装置２１０と、第２の記憶装置２１１と、を含む。
【００３８】
[0047]  プロセッサ２００は、１つ以上の処理コアを備えたマイクロプロセッサを含む任意の適当な処理装置であってもよい。使用時には、プロセッサ２００は、他のコンポーネントを調整及び制御して、コンピュータプログラム命令及びデータを記憶装置２１０，２１１から／に読み出す及び／又は書き込むように動作可能であり得る。プロセッサは、低電力動作用に最適化されてもよく、又はいくつかの実施例においては低電力動作用に最適化された少なくとも１つの処理コアを有していてもよい。
【００３９】
[0048]  無線通信インターフェイス２０２は、プロセッサ２００に接続されており、タイヤ空気圧センサシステムの他の装置からのデータの送信及び受信の両方に用いられる。この実施例においては、無線通信インターフェイスは２つのトランシーバ２１２，２１４を含み、両者は異なる無線技術を用いる。第１のトランシーバ２１２は、最長で約５０ｍ又は約１００ｍという比較的長距離の通信のために提供される。例えば、第１のトランシーバは、２．４ＧＨｚ又は５ＧＨｚの産業科学医療用（ＩＳＭ）バンドで通信するためのＩＥＥＥ８０２．１１（ＷｉＦｉ）による標準を用いてもよく、又は航空機内無線通信（WAIC:Wireless Avionics Intra-Communications）標準を用いてもよい。また、第１のトランシーバは、例えば事前共有鍵を利用した高度暗号化標準（ＡＥＳ）に従って送信データを暗号化し受信データを復号化する暗号化モジュールも含む。第２のトランシーバ２１４は、比較的短距離の通信のために提供される。例えば、第２のトランシーバ２１４は、Ｂｌｕｅｔｏｏｔｈ（ＲＴＭ）のようなＩＥＥＥ８０２．１５による標準、ＩＥＥＥ８０２．１５．４、又は近距離無線通信（ＮＦＣ）を用いてもよい。第２のトランシーバは、装置間が５ｍ未満、３ｍ未満、１ｍ未満、５０ｃｍ未満、２５ｃｍ未満、又は潜在的に接触を要するかもしくは１ｃｍ未満の距離にわたって動作し得る。第１のトランシーバ２１２と同様、第２のトランシーバ２１４も、送信データを暗号化し受信データを復号化する暗号化モジュールを含む。
【００４０】
[0049]  いくつかの実施例においては、無線通信インターフェイスに単一の無線トランシーバが設けられてもよい。その場合、その単一のトランシーバは、比較的短距離もしくは比較的長距離の通信を用いてもよく、又は必要に応じて（送信電力を制御することなどにより）距離を調節してもよい。
【００４１】
[0050]  インジケータ２０４は、プロセッサ２００に接続されるとともに、プロセッサ２００によって制御されてタイヤ空気圧センサシステムのユーザに表示を提供する。この実施例においてはインジケータはＬＥＤであるが、他の実施例においては、インジケータは別の形態の光、ＬＣＤもしくは電子インクディスプレイなどのディスプレイ、又は任意の他の形態の視覚表示である。他の実施例においては、インジケータは、ブザー、ポケットベル、スピーカ又は任意の他の音発生コンポーネントなどの可聴インジケータである。更なる実施例においては、インジケータは、可聴及び視覚表示コンポーネントの両方を備えることができる。インジケータは、少なくとも第１及び第２の表示、例えば第１の色及び第２の色の発光を提供する。点灯光又は点滅光など、更なる表示も提供されることが可能である。タイヤ監視装置は（図示しない）ハウジングを有し、インジケータ２０４はそのハウジングの外側に表示を提供することができる。例えばＬＥＤがハウジングの外部に搭載されてもよく、又は音がハウジングの内部から放出可能であろう。
【００４２】
[0051]  電源２０６は検知装置の要素に電力を提供する。これはリチウム電池などの電池であってもよい。この実施例においては、電源は、通常動作で約２から３年の間センサを駆動するのに十分な電力を備えたリチウム電池である。他の実施例においては、電源は電力ハーベストシステムを備えていてもよく、例えば振動及び／又は電磁放射を収穫して、装置に電力供給するために用いられるキャパシタ又は電池を充電する。
【００４３】
[0052]  使用時には、無線検知装置は、その作動寿命の多くを、プロセッサ及び無線通信インターフェイス以外のコンポーネントのほとんどが電源オフの状態の、「スリープ」又は低電力モードで送ってもよい。これにより電池の寿命を節約することができる。例えば、タイヤ監視装置はデフォルトでは低電力モードで、タイヤ空気圧を測定又は報告するコマンドを待っていてもよい。タイヤ空気圧の読み取りは比較的稀に、おそらくは日にわずか１回程度しか必要とされないであろうから、これは有用な節電をもたらすことができる。他の実施例においては、圧力はより頻繁に、例えば１０分毎、１５分毎、２０分毎、３０分毎、１時間毎又は２時間毎に検知され、傾向監視に用いるために記憶されてもよい。
【００４４】
[0053]  圧力センサ２０８は、プロセッサ２００に接続されており、例えば静電容量センサなど、圧力を測定する任意の適当なセンサであり得る。同様に、温度センサ２０９はプロセッサ２００に接続されており、熱電対のような、温度を測定する任意の適当なセンサであり得る。温度センサ２０９は、ホイールの温度又はタイヤの内側のガスの温度を直接測定するように構成されていてもよい。温度センサ２０９がホイールの温度を測定する場合、これが処理されてタイヤ内のガスの温度を判定することが可能である。例えば、アルゴリズム又はルックアップテーブルが用いられてもよい。
【００４５】
[0054]  圧力センサ２０８及び温度センサ２０９のプロセッサ２００への接続は、デジタルであってセンサ自体のアナログ・デジタル変換器（ＡＤＣ）からの測定された圧力及び／又は温度のデジタル表現を提供してもよく、あるいはアナログであってもよく、アナログの場合には、プロセッサがＡＤＣを含んでいて、受信した信号をサンプリングしてもよい。圧力センサ及び温度センサの両方を含むことは、温度補償圧力値を決定するのに有用であろう。この実施例は圧力センサと温度センサとを含むが、他の実施例は圧力センサのみを含んでいてもよく、あるいは更なるセンサを含んでいてもよい。
【００４６】
[0055]  この実施例は２つの記憶素子２１０及び２１１を含む。記憶装置２１０は、この実施例においては、印加電力を必要とすることなくデータを保持することのできるフラッシュメモリなどの不揮発性書き換え可能記憶装置である。他の実施例は、電源によって電力供給状態を維持される揮発性記憶装置、又は読み出し専用記憶装置と書き換え可能記憶装置との組み合わせを含んでいてもよい。記憶装置２１０は、プロセッサ２００に接続され、プロセッサによって実行されるコンピュータプログラム命令と、圧力センサ２０８からのデータ又は無線通信インターフェイス２０２を経由して受信したデータなどのデータと、の両方を記憶するために用いられる。いくつかの実施例においては、記憶装置２１０は、圧力センサ２０８及び温度センサ２０９によって検知された圧力及び／又は温度読み取りの履歴を記憶してもよい。例えば、ここ十日の読み取りが記憶されてもよく、記憶装置がいっぱいになると最新のデータが最も古いデータに置き換わる。
【００４７】
[0056]  記憶装置２１１は、書き込み及び／又は読み出しアクセスが制限された、例えばプロセッサ２００で動作する特定の処理にのみアクセス可能な、安全な記憶装置である。記憶装置２１１には、無線暗号鍵などの構成データを記憶することができる。他の実施例においては、単一の記憶装置が設けられてもよく、あるいは記憶装置２１０及び２１１が単一の物理デバイス内に設けられ、記憶装置２１０と記憶装置２１１との間に論理的分割があってもよい。
【００４８】
[0057]  図３は、図１の実施例において使用される制御装置１２の図式表現を示す。制御装置１２は、プロセッサ３００と、ディスプレイ３０２と、入力システム３０４と、電源３０６と、無線インターフェイス３０８と、記憶装置３１０と、有線通信インターフェイス３１２と、を含む。この実施例においては、制御装置は、携帯電話機又はタブレットコンピュータなどのモバイル機器である。
【００４９】
[0058]  プロセッサ３００は、任意の処理装置、例えば多目的マイクロプロセッサ、システムオンチップ、又はシステムインパッケージであり、１つ以上の処理コアを含んでいてもよい。プロセッサ３００は、制御装置のユーザに情報を表示するために、ＬＣＤ、ＯＬＥＤ又は電子インクディスプレイなどのディスプレイ３０２に接続される。
【００５０】
[0059]  入力システム３０４は、この実施例においてはタッチスクリーンインターフェイスを含み、ユーザがスクリーン上のユーザインターフェイス要素に触れることによって制御装置と相互作用することを可能にする。入力システム３０４は、タッチスクリーンに加えて、１つ以上のボタン、並びに音声認識用のマイク及び画像入力用のカメラなど他の入力装置を含んでいてもよい。他の実施例は、タッチスクリーンインターフェイスを含んでいなくてもよい。
【００５１】
[0060]  制御装置は電源３０６によって電力供給され、これはこの実施例においては再充電可能リチウムイオン電池である。他の実施例は、他の電池技術、商用電源のような代替的な電源、又は太陽電力のようなエネルギハーベスティングを用いてもよい。
【００５２】
[0061]  制御装置１２には、タイヤ空気圧センサシステム内の他の装置と通信するための無線インターフェイス３０８が含まれている。この実施例においては、タイヤ監視装置１０と通信するように構成された単一の無線インターフェイス３０８が設けられる。例えば、ＩＥＥＥ８０２．１１ファミリーの標準に準拠するものなど、比較的長距離の無線通信技術を用いることができる。これは、制御装置１２が比較的遠距離からタイヤ監視装置と相互作用することを可能にする。
【００５３】
[0062]  他の実施例においては、制御装置は、ＩＥＥＥ８０２．１１及びＩＥＥＥ８０２．１５．４など、異なる無線技術で動作する複数のトランシーバを備えていてもよい。
【００５４】
[0063]  記憶装置３１０は、フラッシュメモリのような不揮発性素子と、ＲＡＭのような揮発性素子と、を含む。不揮発性素子は、オペレーティングシステムソフトウェア及びアプリケーションソフトウェアを記憶するために用いられる。この実施例においては、制御装置は、標準的なオペレーティングシステムソフトウェアを実行し、タイヤ空気圧センサシステムと相互作用するためのアプリケーションソフトウェアをロードされている。タイヤ空気圧センサネットワークへのアクセスを制限するために、アプリケーションソフトウェアは、安全なソースから提供され、一般公衆には利用可能でなくてもよく、及び／又は動作前に証明書の入力を要求してもよい。
【００５５】
[0064]  演算システムへの接続のために、有線通信インターフェイス３１２が提供される。有線通信インターフェイス３１２は、例えば、ユニバーサルシリアルバス（ＵＳＢ）などのシリアルデータ接続、パラレルデータ接続、又はイーサネットなどのネットワーク接続であり得る。有線通信インターフェイス３１２は、例えば長期的傾向を記憶し機団管理を支援するために、制御装置がタイヤ監視装置から読み出された値及び／又は他のステータス情報を演算システムに伝達することを可能にする。代替的又は追加的には、無線通信インターフェイス３０８が演算システムとの通信のために用いられてもよい。
【００５６】
[0065]  図４は、図１の実施例において使用される構成装置１４の図式表現を示す。構成装置１４は制御装置１２と概ね同一の要素、すなわちプロセッサ４００と、ディスプレイ４０２と、入力システム４０４と、電源４０６と、無線４０８と、記憶装置４１０と、有線通信インターフェイス４１２と、を含み、これらは、以下に別途の記載がない限り、制御装置について上述したのと概ね同一である。この実施例においては、構成装置はモバイル機器であるが、タイヤ監視システムとのみ動作するように制限されている。例えば、構成装置は、タイヤ監視システムとの相互作用のためのソフトウェアのみを実行することのできる演算装置又はタブレットであってもよい。
【００５７】
[0066]  この実施例の構成装置の無線通信インターフェイス４０８は、例えばＩＥＥＥ８０２．１５．４、Ｂｌｕｅｔｏｏｔｈ（ＲＴＭ）、ＮＦＣ又はＲＦＩＤといった比較的短距離の通信システムである。以下でより詳細に説明するように、これは、タイヤ監視装置を構成するときに、構成装置が追加的な認証因子として作用することを可能にする。
【００５８】
[0067]  構成装置の有線通信インターフェイス４１２は、安全な手法で構成装置に情報を提供するために用いられ得るものであり、例えば、いくつかの暗号鍵が、無線インターフェイスではなく、シリアルデータ接続などの有線インターフェイスを経由して更新されることを可能にする。
【００５９】
[0068]  いくつかの実施例においては、構成装置１４は省略されて、その場所が制御装置１２に取って代わられてもよい。制御装置１２は、ＩＥＥＥ８０２．１５．４、Ｂｌｕｅｔｏｏｔｈ（ＲＴＭ）又はＮＦＣなどの短距離無線通信インターフェイスを備えていてもよい。制御装置には、おそらくは適当な証明書を持ってのみアクセス可能であり構成コマンドの伝送用の短距離無線通信インターフェイスの動作を制御する暗号鍵の維持を通じて、制御装置が追加的な認証因子として機能することも可能にするアプリケーションソフトウェアがロードされてもよい。
【００６０】
[0069]  図５は、航空機に設置されたタイヤ空気圧センサネットワークの図式表現を示す。航空機５００は、胴体５１０と、翼５２０と、主脚５３０と、前脚５４０と、を備えている。一実施例によれば、航空機５００は、本明細書に記載の実施例のうちいずれかによるセンサネットワークを備える。航空機５００は、本明細書に記載された方法のうちいずれかとともに用いられてもよい。一実施例によれば、複数の無線ノードが、航空機５００の周りの様々な位置に分散している。例えば、着陸装置５３０，５４０、翼５２０、及び胴体５１０に、である。主脚５３０及び前脚５４０の各ホイールには、タイヤ監視装置が設置される。
【００６１】
[0070]  一実施例においては、タイヤ監視装置は、操縦室の操縦士にタイヤ空気圧情報を提供するために、コックピットシステムとも通信する。これらの実施例においては、操縦室コンソールが制御装置としても機能し得る。
【００６２】
[0071]  図６は、図１の実施例とともに使用可能なタイヤ監視装置の初期設定プロセスのフローチャートを示す。図６のこのプロセスは、図５の航空機のような乗り物にタイヤ空気圧センサ装置が装着されていないときに用いられる。図６のプロセスは、後付けのために、又は製造プロセスの一部として、用いることができる。プロセスを開始する前に、一組のタイヤ監視装置が準備される。例えば、圧力が監視されるのが望ましい各ホイールに１つあってもよく、又は（例えば１つ以上のホイールでのタイヤの圧力測定に冗長性をもたせるために）１つよりも多くあってもよい。
【００６３】
[0072]  まず、ブロック６０２において、制御装置１２を用いてタイヤ空気圧センサシステム制御アプリケーションを起動する。このアプリケーションは、ディスプレイ上に「システムのセットアップ」というオプションを含むユーザインターフェイスを提示する。「システムのセットアップ」のオプションは、例えば制御装置１２のタッチスクリーン入力との相互作用を通じて、ユーザによって選択される。
【００６４】
[0073]  次に、ブロック６０４において、制御装置１２上のアプリケーションはユーザに、タイヤ監視装置が設置されるべき第１のホイールのための構成情報を入力させる。これは、「ホイール位置」、「乗り物識別」及び「基準圧力」のうち１つ以上を含み得る。例えば、ある航空機は、前脚については「前右」、「前左」、そして主脚については「１」、「２」、「３」、「４」というホイール位置を有し得る。基準圧力は、乗り物の特定の１つ又は複数のホイールに特有であってもよく、例えば主脚のホイールは前脚のホイールとは異なる基準圧力を有し得る。「乗り物識別」は航空機の尾翼の識別であってもよい。情報が入力されると、ユーザは「アップロード」などのオプションを選択して、その情報をアプリケーションに記憶する。すると、制御装置は、アップロードに利用可能な構成パラメータを有していることを定期的に放送し、ホイールに設置されるべきタイヤ検知装置から通信を受信するのを待つ。いくつかの実施例においては、タイヤ検知を入力されたパラメータで構成されるように準備するために、ディスプレイ又は他のプロンプトがコントローラによって提供されてもよい。例えば、視覚又は可聴プロンプトがユーザに「構成装置でタイヤ検知装置に触る」ように指示してもよい。
【００６５】
[0074]  ブロック６０４は、他の装置、例えばインターネット上のセキュアサーバのようなローカルエリアネットワーク又は別のネットワークのサーバシステムへのデータの伝送も含み得る。いくつかの実施例においては、ブロック６０４の乗り物識別及び基準圧力は、制御装置で乗り物識別の写真を撮り、光学的文字認識を用いて識別を決定し、それからサーバ上にあるか又は制御装置自体の記憶装置に局所的に記憶されているであろうデータベースで基準圧力を調べることによって、自動的に事前設定されてもよい。他の実施例においては、バーコード又は他の形態の符号化された識別が制御装置によって読み出され得る。
【００６６】
[0075]  次に、ブロック６０６において、ユーザは、ホイールに設置されるべきタイヤ検知装置に構成コマンドを提供する。いくつかの実施例においては、これは、ＮＦＣなどの短距離通信を用いて構成コマンドを提供する構成装置１４でタイヤ検知装置を触ることによって提供される。すると、タイヤ検知装置は構成モードに入り、構成パラメータを放送している制御装置を待つ。構成コマンドは、タイヤ検知装置が制御装置の放送を待つためにタイヤセンサネットワークに加わることを可能にするためのネットワーク鍵を含み得る。
【００６７】
[0076]  ブロック６０８において、タイヤ監視装置は制御装置と接触し、暗号化のためのセッション鍵と構成コマンドにおいて制御装置から伝送された構成パラメータとを交換することなどによって、安全な通信セッションが確立される。タイヤ検知装置はその記憶装置内に構成パラメータを記憶し、構成モードを終了する。タイヤ検知装置のプロセッサは、タイヤ検知装置がゼロ圧力を測定するので、インジケータに、所定の期間にわたって点灯赤色光などの「異常」表示を提供するように命令する。いくつかの実施例においては、制御装置との通信は、例えばＩＥＥＥ８０２．１１のようなより長距離の技術を用いる構成装置との通信とは異なる通信モード又は技術を用いる。
【００６８】
[0077]  ブロック６１０において、タイヤ監視装置はホイールに装着される。圧力センサによる測定圧力がブロック６０８でロードされた基準圧力の所定の閾値を上回る場合には、プロセッサはインジケータに、所定の期間にわたって点灯緑色光などの「ＯＫ」表示を提供するように命令する。この実施例では、所定の閾値は、基準圧力の約８９％である。他の実施例では、所定の閾値は、基準圧力の約９５％、基準圧力の約９０％、又は基準圧力の約８５％であってもよい。
【００６９】
[0078]  ブロック６１２においては、設置すべき更なるタイヤ監視装置があるかどうかが判定される。ある場合には、実行はブロック６０４に戻り、異なるホイールのために構成プロセスが繰り返される。これ以上設置すべきタイヤ監視装置がないのであれば、実行はブロック６１４に続く。
【００７０】
[0079]  ブロック６１４では、センサシステムの正しい動作が確認される。これは、構成プロセスの間に制御装置に提供されたデータによる内部点検を含み得る。例えば、ホイール基準圧力が一貫していることの点検、前脚のホイール間の一貫した基準圧力の点検、主脚のホイール間の一貫した基準圧力の点検、及びすべてのホイール間の一貫した乗り物識別の点検である。正しい動作を確認することは、圧力センサによって測定された圧力が各ホイールの手動測定と一致することを、例えばユーザに各ホイールの手動測定を行わせるとともに制御装置に入力させることによって、点検することも含み得る。正しい動作を確認することは、構成装置でデータを取得及び表示すること、並びにそれが要求されるデータと一致することを点検することも含み得る。これは、例えばデータが壊れ、したがって表示された値が実際の値に一致しなかった場合に、制御装置の妥協（compromise）を防ぎ得る。正しい動作を確認することは、全体又は一部が自動化されてもよく、例えば手動の点検を必要としないすべての点検は、いくつかの実施例においては自動化されてもよい。
【００７１】
[0080]  図６のプロセスは制御装置及び構成装置を使用するものとして記載されているが、いくつかの実施例においては、単一の装置が制御装置及び構成装置の両方として作用することができる。例えば、ある装置は（タイヤ検知装置と同じように）長距離トランシーバと短距離トランシーバとの両方を有していて、各々を適宜用いるように構成されていてもよい。
【００７２】
[0081]  図７は、センサシステム設定後の図１の実施例とともに用いられることが可能なタイヤ空気圧点検プロセスのフローチャートを示す。まず、ブロック７０２において、ユーザが制御装置１２上のタイヤ監視制御アプリケーションを起動する。次に、ブロック７０４において、制御装置は範囲内のタイヤ監視装置をスキャンする。これは、直接の点接触、又はタイヤ監視装置のネットワークを通じた、例えばアクセスポイント、マスタ装置、もしくはメッシュネットワーク内の任意の装置を通じた接触の確立を含み得る。スキャンは、タイヤ監視装置を低電力モードから復帰させる（waking）ことを含んでいてもよい。スキャンは、安全なネットワーク鍵を用いてセンサネットワークと通信することを含んでいてもよい。
【００７３】
[0082]  ブロック７０６において、制御装置は、検出された乗り物の識別子を表示する。通信範囲及び位置によっては、１つよりも多くの乗り物が検出され得る。例えば、制御装置の範囲内の同一の格納庫にはいくつかの航空機があるかもしれない。
【００７４】
[0083]  ブロック７０８において、ユーザは所望の識別子を選択する。次いで、その識別子に対応するコマンドがタイヤ監視装置に送信され、圧力を読み取らせるとともに制御装置へと報告を戻させる。ブロック７１０で応答が受信され、ブロック７１２で制御装置に表示される。圧力の表示は、数値と「ＯＫ」又は「低圧」などのステータス表示とのうち一方又は両方を含み得る。
【００７５】
[0084]  ブロック７１４において、データの一貫性を保証するために、受信データのクロスチェックが行われてもよい。そして、プロセスは終了する。
【００７６】
[0085]  図７のプロセス全体を通じて、制御装置とセンサ装置との間の通信は、例えばネットワーク鍵によって暗号化されて、安全であろう。システムのセキュリティを強化するため、制御装置との通信のためのネットワーク鍵は、センサ装置間の通信のために用いられるネットワーク鍵とは異なっていてもよい。
【００７７】
[0086]  セキュリティは、セキュア鍵を交換するときに、限られた伝送距離を有する無線通信技術を用いることによって高められてもよく、例えば８０２．１１（ＷｉＦｉ）標準は、空地で５０ｍ以上の距離にわたる伝送を可能にし得る。通信を傍受するには物理的な近接が必要とされるので、セキュリティの向上を提供するためには、これだけで十分であろう。いくつかの実施例においては、セキュリティは、暗号鍵が伝送されるときの伝送電力を暗号化されたデータ自体の伝送と比較して低減し、当初の鍵交換プロセスがより近接して行われることを必要とすることで、高められるであろう。
【００７８】
[0087]  図８は、図２のタイヤ監視装置によって用いられることが可能なタイヤ空気圧点検プロセスのフローチャートを示す。このプロセスは、例えば制御装置における故障動作又はエラーを防ぐために、システムから圧力測定における追加的な保証及び異常許容性を提供するべく設けられる。このプロセスを通じて、監視装置はそのインジケータを用いて、制御装置とは独立してタイヤ空気圧ステータスの表示を提供する。
【００７９】
[0088]  まず、ブロック８０２において、タイヤ監視装置が、無線通信インターフェイスを経由して、圧力を点検するコマンドを受信する。これに応じて、ブロック８０４では、プロセッサが圧力センサを用いてタイヤの圧力を測定する。測定された圧力は、次いでブロック８０６において、タイヤが低圧力を有するかどうかを判定するために、基準圧力と比較される。この実施例においては、圧力センサによって検知される圧力が基準圧力の８９％未満であれば、低圧力が発生する。他の実施例は、測定された圧力が基準圧力の９５％未満、９０％未満、又は８５％未満であるときに低圧力と判定する。低圧力が検出される場合には実行はブロック８０８に進み、そうでなければブロック８１２に進む。
【００８０】
[0089]  ブロック８０８では、プロセッサはインジケータを用いて、例えば所定の期間にわたって点灯赤色光を提供することにより、異常状態を表示する。所定の期間は、例えば５分、２分、１分、又は３０秒であってもよい。また、プロセッサはブロック８１０において、再び無線通信インターフェイスを用いて、他のタイヤ監視装置へと異常表示を放送する。
【００８１】
[0090]  ブロック８１２では、プロセッサは、他のタイヤ監視装置から無線通信インターフェイスを介して何らかの異常メッセージが受信されたかどうかを確認する点検を行う。そのような異常メッセージは、直接、又は他のタイヤ監視装置を介して、又はハブもしくはアクセスポイントを通じて、受信されるであろう。この実施例においては、そのような異常メッセージは、最初に要求されることなく、ブロック８０８での異常表示の伝送に続いて受信される。他の実施例においては、異常メッセージは、タイヤ監視装置から他のタイヤ監視装置に送信されたステータス問い合わせに応答して受信されてもよい。何らかの異常メッセージが受信される場合には、実行はブロック８１４に進み、プロセッサがインジケータを用いて異常状態を表示する。例えば、異常表示は、ブロック８０８で用いられるものと同一であってもよい。他の実施例においては、異常表示は、ブロック８０８で用いられるものとは異なっていてもよく、例えば所定の期間にわたる点滅赤色光など、第２の異常表示であってもよい。第２の異常表示を用いることによって、タイヤ監視装置は、別のタイヤにおける異常を示すが自身が測定した圧力は低くないことを合図することができる。
【００８２】
[0091]  ブロック８１２で何ら異常メッセージを受信しなければ、実行はブロック８１６に進み、プロセッサはインジケータを用いて「ＯＫ」の表示を提供する。これは例えば、所定の期間にわたって点灯緑色光を提供することによって行われる。所定の期間は、例えば５分、２分、１分、又は３０秒であってもよい。このようにして、「ＯＫ」の表示は、すべてのタイヤ監視装置がその関連するタイヤの圧力が低くないと判定したときにのみ行われる。
【００８３】
[0092]  最後に、ブロック８１８において、測定されたタイヤ空気圧のデータがコマンドに応答して伝送される。このデータは、記憶された基準圧力、判定されたステータス、及びホイール位置などの更なる情報を含んでいてもよい。追加的な情報の伝送は、タイヤ監視装置の正しい動作の検証と、記憶装置に記憶された構成データが変化していないこと又は正しく設定されていることの点検と、を可能にし得る。ブロック８１８の伝送は、制御装置１２に直接、オンワードルーティング（onward routing）のために別のタイヤ監視装置１０に、又はアクセスポイントもしくは他の無線ノードに、送信され得る。
【００８４】
[0093]  図８の方法では、タイヤ空気圧ステータスの確認が、タイヤ監視装置自体によって提供される。いずれかのセンサで異常があると、すべてのセンサが異常を示す。
【００８５】
[0094]  他の実施例においては、ブロック８１０で異常表示を伝送するのではなく、代わりにすべてのタイヤ監視装置がその測定圧力を他のタイヤ監視装置に伝送してもよい。受信された圧力はその後、異常が存在するかどうかを判定するべく、それぞれの独立したタイヤ監視装置によって独立して点検される。これは、例えば記憶された基準圧力が壊れている場合に低圧状態を表示しないセンサにおける異常を防ぎ得る。
【００８６】
[0095]  更なる実施例においては、タイヤ監視装置は、ブロック８０６においてタイヤ空気圧が低くないと判定されるときに、「ＯＫ」ステータス通知を伝送してもよい。そのような実施例は、すべてのセンサが正しく動作しているという保証を提供し得る。なぜなら、どの受信データもタイヤ監視装置における故障又は異常を表さないからである。
【００８７】
[0096]  図９は、図１の実施例とともに用いられることが可能なタイヤ交換プロセスのフローチャートを示す。乗り物はタイヤを定期的に交換することが必要であり、これはタイヤ監視装置の寿命内で起こるであろう。既存のタイヤ監視装置を再利用するためには、以下の手順を用いることができる。
【００８８】
[0097]  まず、ブロック９０２において、タイヤ監視装置は取り外される。すると、タイヤ監視装置はゼロ圧力を読み取るであろうから、インジケータはプロセッサによって異常を示すように制御されるであろう。ステップ９０４において、異常表示が点検される。何ら異常が表示されないのであれば、タイヤ監視装置は不具合があり、交換されなければならない。ブロック９０６において、例えば図１０のプロセスに従って、新たなタイヤ監視装置が設置される。
【００８９】
[0098]  異常が表示される場合には、ブロック９０８において、タイヤが交換され、タイヤ監視装置が再装着される。その後、ブロック９１０において、インジケータの「ＯＫ」の表示が点検される。「ＯＫ」の表示があれば、プロセスは終了する。「ＯＫ」の表示がなければ、タイヤ監視装置は不具合があり、ブロック９０６において廃棄されて新しいものが装着される。
【００９０】
[0099]  いくつかの実施例においては、再装着されたタイヤ監視装置の動作はさらに、例えば測定されたタイヤ空気圧を手動測定に対して点検することによって確認され得る。
【００９１】
[00100]  図９のプロセスによれば、タイヤ交換は、タイヤ監視装置が正しく働いていることを検証するのにも役立つ。
【００９２】
[00101]  いくつかの実施例においては、ブロック９１０の「ＯＫ」の表示は、装置が次のタイヤ交換予定まで持続するのに十分な程度にタイヤ監視装置の予想電池寿命が長いことが予期されることを保証するための、電池寿命点検も含むことができる。例えば、プロセッサは、（装置がホイールから取り外されるときに）およそゼロの測定圧力をタイヤ交換と関連付けて、圧力センサによって非ゼロ圧力が再び測定されるときに電池点検を実施してもよい。
【００９３】
[00102]  図１０は、図１の実施例とともに用いられることが可能なタイヤ監視装置交換プロセスのフローチャートを示す。このプロセスは、例えば異常によりタイヤ監視装置を新しいものに交換するために用いられる。
【００９４】
[00103]  ブロック１００２において、タイヤ監視装置はホイールから取り外される。次にブロック１００４において、誤って再設置され得ないことを保証するために、取り外された装置から構成データが削除される。例えば、ブロック１００４は、タイヤ監視装置にデータを消去する構成コマンドを送信することによって構成装置１４を用いてデータを消去することを含み得る。
【００９５】
[00104]  次に、ブロック１００６において、新たなタイヤ監視装置のための構成データが制御装置に入力される。構成データはその後、ブロック１００８において、例えば上記のブロック６０６及び６０８のプロセスに従うことにより、新たな検知装置にロードされる。ブロック１０１０において、新たなタイヤ監視装置はホイールに取り付けられる。その後、システムの正しい動作がブロック１０１２において確認されてもよい。
【００９６】
[00105]  いくつかの実施例においては、新たなタイヤ監視装置の構成は、取り外された装置から複製され、新しい装置に自動的にコピーされてもよい。例えば、ブロック１００４は、消去の前に構成データを読み出し記憶することを含んでいてもよく、するとこれはブロック１００８において新たな装置を構成するために用いられる。その場合、ブロック１００６は省略されてもよく、あるいは代わりに構成データを表示して、それが正しいことを新たな装置にロードする前にユーザが確認してもよい。
【００９７】
[00106]  上記のプロセスは構成コマンドのうちいくつかに関して短距離通信を用いることを記載しているが、他の実施例は、これらのコマンドに長距離通信を用い、例えば異なる暗号化プロトコルを使用することによって区別を図ってもよい。
【００９８】
[00107]  上記のプロセスは一般的なモバイル機器を制御装置として用いることを記載しているが、制御装置は、タイヤ監視システムとともに又はより一般的に乗り物とともに使用するためにのみ設けられた専用の装置であってもよい。これは、より強力な制御が利用可能であるため、セキュリティを高め得る。
【００９９】
[00108]  上記のプロセスは光であるインジケータを使用することを記載しているが、他の実施例はディスプレイ及び／又はオーディオコンポーネントのような他のインジケータを用いてもよい。例えば、単に点灯又は点滅色を表示するのではなく、ディスプレイは測定された圧力自体の情報も表示し得る。聴覚及び視覚インジケータの両方が設けられる場合には、いくつかの表示は聴覚及び視覚インジケータの両方を用いなくてもよい。例えば、「ＯＫ」の表示は視覚インジケータのみを用いてもよく、聴覚インジケータ異常時にのみ起動される。
【０１００】
[00109]  上述したすべてのプロセスにおいては、検知圧力が３５ｋＰａ未満（５ｐｓｉ未満）などおよそゼロであるときにタイヤ監視装置が構成モードを入力すること及び／又は構成コマンド受け付けることを可能にするだけで、追加的なセキュリティを得ることができる。これは、タイヤが膨らんだ状態でホイールに設置されたときにはタイヤ監視装置が再構成され得ないことを保証する。また、検知圧力がおよそゼロでなくなると構成モードを自動的に終了することによっても、追加的なセキュリティが提供され得る。更なるセキュリティは、追加的又は代替的に次のうち１つ以上によっても提供され得る。タイヤ監視装置が構成モードになれる時間の量に限度を設けること、及び、構成が完了したときに構成コマンドの完了などに続いて構成モードを自動的に終了すること。
【０１０１】
[00110]  なお、本明細書において用いられる「又は（もしくは）」という用語は、別途明記されない限りは、「及び／又は」を意味するものと解釈されるべきである。
【０１０２】
[00111]  上記の実施例は、本発明の例示的な例として理解されるべきである。いずれか１つの実施例に関連して記載された特色は、単独で用いられてもよく、又は記載された他の特色と組み合わせて用いられてもよく、また、実施例のうち他のものの１つ以上の特色と組み合わせて、又は実施例のうち他のものの任意の組み合わせで用いられてもよいことが理解されるべきである。さらに、均等物及び上述されていない変形も、添付の特許請求の範囲において定義される本発明の範囲から逸脱することなく採用され得る。
【図１】
2019108119.tif 000003
【図２】
2019108119.tif 000004
【図３】
2019108119.tif 000005
【図４】
2019108119.tif 000006
【図５】
2019108119.tif 000007
【図６】
2019108119.tif 000008
【図７】
2019108119.tif 000009
【図８】
2019108119.tif 000010
【図９】
2019108119.tif 000011
【図１０】
2019108119.tif 000012
【外国語明細書】
2019108119000001.pdf